(57)【要約】【課題】レバーの回動操作によってカバーがコネクタハウジングから外れるのを防止する。【解決手段】雌側ハウジング１０にはカバー３０が装着される。カバー３０はロック部３１とロック受け部１６との係止作用によって雌側ハウジング１０に抜け止め保持される。カバー３０にはレバー５０が回動可能に軸支される。雌側ハウジング１０には、係合突部１４が設けられている。レバー５０には、同レバー５０の回動軌跡に沿って延出され、レバー５０の回動操作の間、係合突部１４が摺動することで雌側ハウジング１０に対するカバー３０の位置ずれを規制する係合溝５７が設けられている。したがって、レバー５０の回動方向に加わる力によってカバー３０が雌側ハウジング１０から外れるのを防止できる。【選択図】図３
2008027787.tif 000002
【特許請求の範囲】
【請求項１】
互いに嵌合な一対のコネクタハウジングのうち、一方のコネクタハウジングには同コネクタハウジングに抜け止め状態で保持されるカバーが装着され、前記カバーには、カム溝を有するレバーが回動可能に組み付けられ、他方のコネクタハウジングには、前記カム溝と係合可能なカムピンが設けられており、前記レバーの回動操作に伴って前記カムピンが前記カム溝に沿って移動することで、前記両コネクタハウジングの嵌合離脱が助勢されるレバー式コネクタにおいて、
前記一方のコネクタハウジングと前記レバーのうちのいずれか片方には、係合突部が設けられ、他方には、前記レバーの回動軌跡に沿って延出され、前記レバーの回動操作の間、前記係合突部が摺動することで前記一方のコネクタハウジングに対する前記カバーの相対的な位置ずれを規制する係合溝が設けられていることを特徴とするレバー式コネクタ。
【請求項２】
前記レバーは、一対のアーム部と操作部とから門型をなし、前記カバーに跨って組み付けられるようになっており、前記一対のアーム部は、それぞれ、前記カム溝を有するとともに、前記係合溝を有しており、
前記一方のコネクタハウジングの外面には、同外面との間に前記アーム部が進入する収容空間を有して、前記アーム部の開きを規制する開き防止壁が設けられており、前記係合突部は、前記開き防止壁の内側における前記収容空間に配置されていることを特徴とする請求項１に記載のレバー式コネクタ。
【請求項３】
前記レバーは、一対のアーム部と操作部とから門型をなし、前記カバーに跨って組み付けられるようになっており、前記一対のアーム部は、それぞれ、前記カム溝を有するとともに、前記係合溝を有しており、かつ、前記カバーに回動可能に軸支される軸受け部を有しており、
前記アーム部において、前記軸受け部から近い位置に前記カム溝が配置され、前記軸受け部から遠い位置に前記係合溝が配置されていることを特徴とする請求項１または請求項２に記載のレバー式コネクタ。
【請求項４】
前記係合突部は前記一方のコネクタハウジングに設けられるものであり、前記レバーの外周縁には、前記カバーが前記一方のコネクタハウジングに対し正規姿勢と反対方向を向いて組み付けられた場合に、前記係合突部と干渉してそれ以上の組み付け動作を規制する組み付け規制部が設けられていることを特徴とする請求項１ないし請求項３に記載のレバー式コネクタ。
【発明の詳細な説明】
【技術分野】
【０００１】
本発明は、カバーにレバーを組み付けたレバー式コネクタに関する。
【背景技術】
【０００２】
この種のレバー式コネクタとして、特許文献１に記載のものが知られている。このカバーは、コネクタハウジングの後面から引き出される電線群を内包しつつコネクタハウジングの後部に被せ付けられ、電線群を所定方向に導き出す役割をはたす。カバーには、操作部と一対のアーム部とから全体として門型状をなすレバーが組み付けられ、両アームに設けられた軸受孔に、カバーの両側面に設けられた支軸が貫通係合することで、レバーが支軸を中心として回動可能となっている。アーム部にはカム溝が設けられ、このカム溝が相手側のコネクタハウジングに設けられたカムピンと係合することに起因して両コネクタハウジング間でカム機構が作用し、これにより、両コネクタハウジングが互いに引き寄せられて正規嵌合状態に至る。また、カバーの開口縁の一端にはロック片が設けられ、コネクタハウジングの後部の一端には、ロック片に係止可能なロック部が設けられている。
【特許文献１】特開２００１−１１８６３１公報
【発明の開示】
【発明が解決しようとする課題】
【０００３】
上記の場合、レバーの回動操作に伴い、カバーにコネクタハウジングとの突き合わせ面に沿ったずれ方向の力が作用し、ひいてはロック片とロック部とによる係止状態が解除され、カバーがコネクタハウジングから外れるおそれがあった。
【０００４】
本発明は上記のような事情に基づいて完成されたものであって、レバーの回動操作によってカバーがコネクタハウジングから外れるのを防止することを目的とする。
【課題を解決するための手段】
【０００５】
上記の目的を達成するための手段として、請求項１の発明は、互いに嵌合な一対のコネクタハウジングのうち、一方のコネクタハウジングには同コネクタハウジングに抜け止め状態で保持されるカバーが装着され、前記カバーには、カム溝を有するレバーが回動可能に組み付けられ、他方のコネクタハウジングには、前記カム溝と係合可能なカムピンが設けられており、前記レバーの回動操作に伴って前記カムピンが前記カム溝に沿って移動することで、前記両コネクタハウジングの嵌合離脱が助勢されるレバー式コネクタにおいて、前記一方のコネクタハウジングと前記レバーのうちのいずれか片方には、係合突部が設けられ、他方には、前記レバーの回動軌跡に沿って延出され、前記レバーの回動操作の間、前記係合突部が摺動することで前記一方のコネクタハウジングに対する前記カバーの相対的な位置ずれを規制する係合溝が設けられている構成としたところに特徴を有する。
【０００６】
請求項２の発明は、請求項１に記載のものにおいて、前記レバーは、一対のアーム部と操作部とから門型をなし、前記カバーに跨って組み付けられるようになっており、前記一対のアーム部は、それぞれ、前記カム溝を有するとともに、前記係合溝を有しており、前記一方のコネクタハウジングの外面には、同外面との間に前記アーム部が進入する収容空間を有して、前記アーム部の開きを規制する開き防止壁が設けられており、前記係合突部は、前記開き防止壁の内側における前記収容空間に配置されているところに特徴を有する。  
請求項３の発明は、請求項１または請求項２に記載のものにおいて、前記レバーは、一対のアーム部と操作部とから門型をなし、前記カバーに跨って組み付けられるようになっており、前記一対のアーム部は、それぞれ、前記カム溝を有するとともに、前記係合溝を有しており、かつ、前記カバーに回動可能に軸支される軸受け部を有しており、前記アーム部において、前記軸受け部から近い位置に前記カム溝が配置され、前記軸受け部から遠い位置に前記係合溝が配置されているところに特徴を有する。
【０００７】
請求項４の発明は、請求項１ないし請求項３のいずれかに記載のものにおいて、前記係合突部は前記一方のコネクタハウジングに設けられるものであり、前記レバーの外周縁には、前記カバーが前記一方のコネクタハウジングに対し正規姿勢と反対方向を向いて組み付けられた場合に、前記係合突部と干渉してそれ以上の組み付け動作を規制する組み付け規制部が設けられているところに特徴を有する。
【発明の効果】
【０００８】
＜請求項１の発明＞
レバーを回動操作すると、カム溝に沿ってカムピンが移動して両コネクタハウジングの嵌合離脱が進行するとともに、係合溝の内部を係合突部が摺動することで一方のコネクタハウジングに対するカバーの相対的な位置ずれが規制されるから、レバーの回動方向に加わる力によってカバーが一方のコネクタハウジングから外れるのを防止できる。
【０００９】
＜請求項２の発明＞
係合突部は、レバーに対する開き防止壁の内側における収容空間に配置されているから、外部異物から保護されて折損等される事態を回避できる。また、スペースの有効利用を図れる。  
＜請求項３の発明＞
アーム部において、軸受け部からカム溝より遠くに係合溝が配置されているから、係合突部の摺動範囲を大きく確保することができ、係合突部の摺動動作が円滑となる。
【００１０】
＜請求項４の発明＞
一方のコネクタハウジングにカバーを取り付けるに際し、カバーが正規姿勢と反対方向を向いた姿勢をとっていると、レバーの外周縁に設けられた組み付け規制部が係合突部と干渉してそれ以上の組み付け動作を規制するようになっているから、カバーが不正な姿勢で組み付けられるのを回避できる。この場合に、係合突部が、カバーの外れ防止と誤組み付け防止の両機能を兼備することになるから、それぞれに専用構造を設ける場合に比べ、構成を簡素化できる。
【発明を実施するための最良の形態】
【００１１】
＜実施形態１＞
本発明の実施形態１を図１ないし図１０によって説明する。本実施形態のコネクタは、雌側ハウジング１０（本発明における一方のコネクタハウジングに相当）と、雌側ハウジング１０に装着されるカバー３０と、カバー３０に組み付けられるレバー５０と、レバー５０によって雌側ハウジング１０に嵌合される雄側ハウジング７０（本発明における他方のコネクタハウジングに相当）とを備えて構成される。なお、以下の説明において、上下方向については、雌側ハウジング１０に対してカバー３０が装着される側を上方とし、前後方向については、図１に示す左側を前方とする。
【００１２】
雄側ハウジング７０は合成樹脂製であって、図２に示すように、上方に開放された筒状のフード部７１を備える。フード部７１は雌側ハウジング１０に対して下方から内嵌される。フード部７１の両側面には、円柱形のカムピン７２が突設されている。カムピン７２の先端にはフランジ部７３が周方向に張り出して形成されている。
【００１３】
雌側ハウジング１０は同じく合成樹脂製であって、全体として前後方向に細長い形状をなし、上下方向に貫通する複数のキャビティ（図示せず）を有している。各キャビティ内には、後方から端子金具（図示せず）が挿入される。雌側ハウジング１０の上面は、各端子金具に接続された電線９０が束になって導出される導出面として構成される。雌側ハウジング１０の両側外面には、前後一対ずつの開き防止壁１１が、この両側外面と平行にかつこの両側外面との間にレバー５０のアーム部５１（後述する）が進入する収容空間を有して設けられている。各開き防止壁１１はその周縁に沿った支持壁１２によって雌側ハウジング１０の外面に支持されている。
【００１４】
また、雌側ハウジング１０には、前後の開き防止壁１１の対向面間と対応する位置に、カムピン７２の進入溝１３が設けられている。カムピン７２の進入溝１３は、雌側ハウジング１０の下端に開口して上方へ延出され、ここに下方からカムピン７２が進入して両ハウジング１０，７０の嵌合動作が案内される。なお、本実施形態における上下方向は、両ハウジング１０，７０の嵌合方向に対応している。  
そして、後側の開き防止壁１１の内面には、上端寄りの位置に、円柱形の係合突部１４が内向きに突出して設けられている。支持壁１２には、係合突部１４より鉛直下方に、係合突部１４の成形に伴う型抜き孔１５が開口して形成されている。雌側ハウジング１０の上面における前端寄りの位置には、カバー３０のロック部３１（後述する）を係止可能なロック受け部１６が突設されている。ロック受け部１６の前面は後方に向かって上り勾配となるテーパ状の案内面２１とされ、ロック受け部１６の後面は略垂直に切り立つ係止受け面２２とされる。
【００１５】
カバー３０は合成樹脂製であって、図６ないし図８に示すように、下面および後面が開口されたキャップ状をなし、雌側ハウジング１０に対して上方から被せ付けられる。カバー３０の上面には、断面円弧の案内壁３２が立設されている。雌側ハウジング１０への組み付け状態において、雌側ハウジング１０の導出面から延出された電線９０群は、案内壁３２に沿って所定方向（図示する上方）へ屈曲案内される。電線９０群は案内壁３２に結え付けられるバンド９１等によって一つにまとめられる。そして、カバー３０は、雌側ハウジング１０の上端部において段差面１７を介して一段落ちて設けられた取付部１８に外嵌され、その内面が取付部１８の外面に密着される。
【００１６】
カバー３０の内面と取付部の外面とには、カバー３０が正規に装着されたときに、それぞれ上下方向で当たり合う抜け止め構造が設けられている。また、カバー３０の前面壁３５には透孔３３が貫通して形成され、カバー３０の前面壁３５の下端部には、透孔３３を撓み空間として撓み変形可能とされるロック部３１が形成されている。ロック部３１の前面は、略垂直に切り立つ係止面３４とされる。雌側ハウジング１０への組み付けに際し、図１に示すように、カバー３０は、その下端縁を雌側ハウジング１０の段差面１７に突き当てつつ、ロック受け部１６をカバー３０の内側に配した状態から、段差面１７に沿って後方へスライドされる。すると、ロック部３１が透孔３３側へ撓み変形されつつ案内面２１に沿ってロック受け部１６に乗り上げられる。その後、カバー３０が正規に装着されると、ロック部３１が弾性的に復元してその係止面３４をロック受け部１６の係止受け面２２に前後方向で対面させ、これにより、カバー３０が前方へ外れるのが規制される。そして、カバー３０は、抜け止め構造によって上方へ外れるのが規制される。端的には、カバー３０は、ロック部３１とロック受け部１６とによる係止作用によって雌側ハウジング１０に抜け止め状態で保持される。
【００１７】
また、カバー３０の両側外面の前端下縁部には、レバー５０との干渉によってレバー５０の回動操作を規制する第１規制部３６が両側方へ張り出して形成されている。また、カバー３０の両側外面には、第１規制部３６の近傍位置に、山型の第２規制部３７が両側方へ張り出して形成されている。そして、カバー３０の上面には、案内壁３２より少し前方位置に、第３規制部３８が上方へ突出して形成されている。第３規制部３８は、その周囲をコの字に切り欠かれることで撓み変形可能とされ、レバー５０の回動操作によって撓み変形されたあとその垂直に切り立つ後面でレバー５０を弾性係止する。そして、カバー３０の両側外面には、円柱形をなす左右一対の支軸３９が突設されており、この支軸３９にレバー５０が軸支されるようになっている。支軸３９の先端面には中心から半径方向に位置ずれしつつ延びるスリット４１が切り入れられ、レバー５０の装着時に支軸３９の縮径動作を可能としてある。なお、カバー３０において前壁部３５の上半部の前面は前下がりに傾斜しており、レバー５０との干渉を回避可能としてある。
【００１８】
レバー５０は合成樹脂製であって、図９および図１０に示すように、左右方向（幅方向）に延びる操作部５２と、操作部５２の左右両端から突出して板状をなす一対のアーム部５１とからなり、全体として門型に形成されている。アーム部５１には、カバー３０側の支軸３９に嵌合される軸受け部５３が板厚方向に貫通して形成され、かつ、入り口をアーム部５１の外周縁に開口させたカム溝５４が所定方向に延出して形成されている。そして、アーム部５１には、板厚方向に貫通する小径の円形孔５５が形成されている。レバー５０は、軸受け部５３（支軸３９）を中心として初期位置と回動完了位置との間を回動可能とされ、初期位置では、円形孔５５に第２規制部３７が嵌ってレバー５０の回動操作が規制され、かつ、第１規制部３６にアーム部５１が干渉してレバー５０の下方への回動操作が強く規制される。このとき、カム溝５４の入り口は下向きに開口している。続いて、両ハウジング１０，７０を浅く嵌合すると、雄側ハウジング７０のカムピン７２がカム溝５４の入り口に進入する。その状態からレバー５０を回動完了位置へ向けて回動すると、カム溝５４とカムピン７２との係合により両ハウジング１０，７０が互いに引き寄せられる。レバー５０が回動完了位置に至ると、操作部５２が第３規制部３８と戻り方向で対面してレバー５０の戻り操作が規制され、かつ、操作部５２が案内壁３２およびカバー３０の両側面に設けられた規制リブ４５に当接してそれ以上奥方への回動操作が規制される。なお、カム溝５４の溝面には、カムピン７２のフランジ部７３が摺動する台座５６が延出方向に沿って段違いに形成されており、雄側ハウジング７０からレバー５０が外れないようにしてある。
【００１９】
さて、両アーム部５１には、カバー３０側の係合突部１４と係合可能とされた左右一対の係合溝５７が、カム溝５４と概ね平行に延出して形成されている。詳しくは係合溝５７は、アーム部５１の外周縁に沿いつつレバー５０の回動軌跡に沿った円弧状をなし、軸受け部５３からの距離がカム溝５４よりも遠くにあって、カム溝５４より長く延出されている。詳しくは係合溝５７は、軸受け部５３（支軸３９）と同心で弧状に延びる本体溝５８と、本体溝５８の一端に直交しつつレバー５０の外周縁においてカム溝５４の入り口とは別位置に開口する導入口５９とからなり、カバー３０を正規装着位置へスライドする過程で、導入口５９に前方から係合突部１４が進入する。係合溝５７は、両アーム部５１の外側面に凹設された有底溝であって、その溝幅は係合突部１４の直径と同一または略同一とされ、その内部を係合突部１４が摺動可能とされる。
【００２０】
また、アーム部５１の外周縁には、係合突部１４が設けられた側とは反対側に、レバー５０が初期位置にあるときに顎状をなす組み付け規制部６１が切り欠き形成されている。組み付け規制部６１と雌側ハウジング１０側の係合突部１４とが互いに干渉することにより、後述するように、雌側ハウジング１０に対するカバー３０の誤組み付けが防止される。
【００２１】
次に、本実施形態の作用を説明する。まず、レバー５０を円形孔５５と第２規制部３７との係合に基づいて初期位置に留め置いた状態として、カバー３０を雌側ハウジング１０に組み付ける。組み付けに際しては、図１に示すように、雌側ハウジング１０に対してカバー３０を正規装着位置より前方位置に配し、その状態からカバー３０を雌側ハウジング１０の段差面１７に沿って後方（図示矢線方向）へスライド移動させる。カバー３０が正規装着位置に至る過程で、詳しくはカバー３０が正規装着位置に至る直前に、導入口５９を通して係合溝５７内に係合突部１４が導入される。カバー３０が正規装着位置に至ると、ロック部３１とロック受け部１６とがカバー３０の前方への抜け出し方向で係止し合う。またカバー３０が正規装着位置に至ると、係合突部１４が本体溝５８に進入するとともに、カム溝５４の入り口がカムピン７２の進入溝１３と板厚方向で連通する。
【００２２】
一方、図５に示すように、カバー３０が雌側ハウジング１０に対して正規の装着姿勢から反対方向を向いた姿勢をとって、つまり、初期位置にあるレバー５０の操作部５２が後方を向いて、雌側ハウジング１０に取り付けられようとすると、カバー３０の下端が雌側ハウジング１０の段差面１７に到達するのに先立って、アーム部５１の組み付け規制部６１が係合突部１４と干渉してそれ以上の組み付け動作が規制される。その場合は、カバー３０を反転させて正規の装着姿勢へと矯正し、改めて組み付け作業を行えばよい。
【００２３】
続いて、図２に示すように、雌側ハウジング１０に雄側ハウジング７０を正対させた状態で、両ハウジング１０，７０を互いに接近させ、カム溝５４の入り口および進入溝１３にカムピン７２を進入させる。そして、レバー５０の操作部５２を指で摘み、レバー５０に回動完了位置側への操作力を付与する。すると、円形孔５５と第２規制部３７との係合状態が解除され、支軸３９（軸受け部５３）を中心とするレバー５０の回動操作が許容され、図３に示すように、カム溝５４に沿ってカムピン７２が相対的に摺動するとともに、係合溝５７に沿って係合突部１４が相対的に摺動する。このとき、係合突部１４の移動ストロークは、係合溝５７がカム溝５４よりも回動支点（支軸３９または軸受け部５３）から離れた位置にあることに起因し、カムピン７２の移動ストロークよりも長くなる。
【００２４】
かくしてレバー５０が回動完了位置に至ると、図４に示すように、操作部５２が第３規制部３８を弾性的に乗り越えると同時に、この第３規制部３８に操作部５２が係止されてレバー５０の戻り操作が規制され、両ハウジング１０，７０が正規嵌合状態に保持される。この状態で、カムピン７２はカム溝５４の奥端に位置するとともに、係合突部１４も係合溝５７の奥端に位置する。  
これに対して、レバー５０を回動完了位置から初期位置へ戻すには、第３規制部３８を上方から押えて係止解除方向に撓み変形させ、その状態でレバー５０を初期位置側へ回動させればよい。すると、カムピン７２がカム溝５４内を戻り方向に移動してカム溝５４の入り口側に至るとともに、係合突部１４が係合溝５７内を戻り方向に移動して係合溝５７の導入口５９側に至る。よって、そこから両ハウジング１０，７０を互いに離間する方向に引っ張れば、両ハウジング１０，７０を互いに離脱させることが可能となる。ここで、レバー５０が初期位置と回動完了位置とを変位する間、レバー５０と雌側ハウジング１０とは、係合突部１４が係合溝５７の溝面を摺接することで、互いの位置関係を所定位置から変化させることはない。一方、カバー３０がレバー５０を軸支することから、カバー３０と雌側ハウジング１０とは、レバー５０を介して互いの相対位置が概ね不動に保たれる。
【００２５】
以上説明したように本実施形態によれば、次の効果を奏する。  
レバー５０の回動操作に起因し、カバー３０に対してレバー５０の回動方向に応力が加わっても、レバー５０の回動操作の間、係合溝５７の内部を係合突部１４が摺動することにより、雌側ハウジング１０に対するカバー３０の相対的な位置ずれが規制されるから、ロック部３１とロック受け部１６とによる係止状態を解除させるようなずれ応力が作用することはなく、カバー３０が雌側ハウジング１０から外れるのを防止できる。
【００２６】
また、係合突部１４は、レバー５０に対する開き防止壁１１の内側における収容空間に配置されているから、外部異物から保護されて折損等される事態を回避できるとともに、収容空間内の空いたスペースを有効に活用できる。  
また、アーム部５１において、軸受け部５３からカム溝５４より遠くに係合溝５７が配置されているから、係合突部１４の移動ストロークを大きく確保することができ、係合突部１４の摺動動作の円滑性が担保される。
【００２７】
さらにまた、カバー３０が組み付け方向において正逆反対向きの姿勢で組み付けられようとすると、組み付け途中で組み付け規制部６１が係合突部１４と干渉し、それ以上の組み付けが規制されるから、カバー３０が不正な姿勢で組み付けられるのを回避できる。そして、アーム部５１の外周縁に組み付け規制部６１を設けることで、カバー３０の組み付け姿勢が正しくないことを組み付け動作を開始した早い段階で知ることができる。そして、係合突部１４が、カバー３０が外れるのを防止する役割をも担っているから、誤組み付けを防止する構造を別途設ける場合に比べ、構成を簡素化できる。
【００２８】
＜他の実施形態＞
本発明は上記記述及び図面によって説明した実施形態に限定されるものではなく、例えば次のような実施形態も本発明の技術的範囲に含まれる。  
（１）本発明によれば、実施形態１とは逆に、係合突部がレバーに設けられ、係合溝が雌側ハウジングに設けられるものであってもよい。  
（２）本発明によれば、係合突部は雌ハウジングの本体部分における外面に設けられてもよい。  
（３）本発明によれば、レバーは全体として一枚板状に形成されるものであってもよい。  
（４）本発明によれば、雄側ハウジングにカバーを装着させ、そのカバーにレバーを取り付けてもよい。
【図面の簡単な説明】
【００２９】
【図１】本発明の実施形態１において、カバーを雌ハウジングに取り付ける途中の状態を示す一部破断側面図
【図２】両ハウジングの嵌合操作を開始する直前の状態を示す一部破断側面図
【図３】レバーを回動完了位置へ向けて回動させた途中の状態を示す一部破断側面図
【図４】回動完了位置に至って両ハウジングが正規嵌合された状態を示す一部破断側面図
【図５】カバーが正逆反対方向を向いた組み付け姿勢のときに組み付け規制部が係合突部に干渉した状態を示す一部破断側面図
【図６】カバーの側面図
【図７】カバーの平面図
【図８】カバーの正面図
【図９】レバーの側面図
【図１０】レバーの背面図
【符号の説明】
【００３０】
１０…雌側ハウジング（一方のコネクタハウジング）
１４…係合突部
１６…ロック受け部
３０…カバー
３１…ロック部
３９…支軸
５０…レバー
５１…アーム部
５２…操作部
５４…カム溝
５７…係合溝
７０…雄側ハウジング（他方のコネクタハウジング）
７１…フード部
７２…カムピン
９０…電線
【図１】
2008027787.tif 000003
【図２】
2008027787.tif 000004
【図３】
2008027787.tif 000005
【図４】
2008027787.tif 000006
【図５】
2008027787.tif 000007
【図６】
2008027787.tif 000008
【図７】
2008027787.tif 000009
【図８】
2008027787.tif 000010
【図９】
2008027787.tif 000011
【図１０】
2008027787.tif 000012